(57)【要約】【技術課題】  堅牢で衝撃に強く、施工性に富み、目の不自由な人にも有効な避難誘導標示装置を提供する。【解決手段】  上面に蓄光性塗料層４を形成し、この表面に文字、図形、記号等の画像５を標記した表示プレート２を額縁枠６付の取付プレート８内に組み込み、この取付プレート８の開口部１０から蓄光性塗料層４を露出させる。その上で、アンカーボルト１３を用いて取付プレート８、表示プレート２を一体に床面１０１に固定する。取付プレート８の一部には、避難方向が判る点字１８を設けておく。【選択図】        図  ２
2006314693.tif 000002
【特許請求の範囲】
【請求項１】
上面に蓄光性塗料層を形成すると共に、この蓄光性塗料層の一部に画像を標記して成る表示プレートと、
額縁枠内に前記表示プレートの蓄光性塗料層部分を露出させるようにして表示プレートを被取付面に取り付けるための取付プレートと、
前記取付プレートの額縁枠及び表示プレートの周囲部分に穿設されたボルト孔を経由して被取付面に表示プレート及び取付プレートを固定するためのアンカーボルトと、
から成る避難誘導標示装置。
【請求項２】
前記表示プレートの蓄光性塗料層の表面であって、画像を形成した表面には、更に透明な被覆層を形成して成る請求項１に記載の避難誘導標示装置。
【請求項３】
前記表示プレートの下面にクッションマットを取り付け、このクッションマットを表示プレートと被取付面との間に介在させて表示プレートと取付プレートを被取付面に固定するように構成して成る請求項１又は２に記載の避難誘導標示装置。
【請求項４】
前記表示プレートと取付プレートを接着剤を用いてあらかじめ一体化させておくことを特徴とする請求項１に記載の避難誘導標示装置。
【請求項５】
前記クッションマットを表示プレートの下面に接着剤を用いて一体化させておくことを特徴とする請求項３に記載の避難誘導標示装置。
【請求項６】
前記クッションマットの下面に離型紙付の感圧接着剤層を形成しておくことを特徴とする請求項３又は５に記載の避難誘導標示装置。
【請求項７】
前記取付プレートの輪郭の一辺を避難方向に向けて山形に形成したことを特徴とする請求項１〜６に記載の何れか１項に記載の避難誘導標示装置。
【請求項８】
前記取付プレート又は蓄光性塗料の上面には、避難方向を示す点字が形成されていて、目の不自由な人は、この点字を頼って安全に避難できるように構成したことを特徴とする請求項１〜７に記載の何れか１項に記載の避難誘導標示装置。
【発明の詳細な説明】
【技術分野】
【０００１】
本発明は、蓄光性塗料、蓄光性顔料、蓄光性染料、蓄光性インキ、蓄光性絵の具（以下「蓄光性塗料」という。）を用いた避難誘導標示装置に関するものである。
【背景技術】
【０００２】
建物や例えば地下鉄のホーム等には、地震や火災発生時の避難誘導標識（装置）が取り付けられていて、この標識は、非常電源を持った自発光式のものと、そうでないものに大別できる。但し、自発光式のものであっても、周囲が暗闇となり、更に黒煙が立ち込めたりした場合に、標識が見えにくくなる。そればかりか、煙や有毒ガスを避ける姿勢として、かがんだり、床をはうようにして移動することが推奨されている。
このように、床をはうようにして避難する場合に、高い処にある標識は見にくいことから、床に避難方向を示す矢印、文字等を標記したタイル、シート等を施工している例が多くみられる。
【０００３】
しかし、この矢印、文字等の標識付のタイルを施工する場合、始めから施工する場合には問題はないが、既に施工されたところに後付けする場合には、プラス、ドリル等で施工する部分のタイルを壊し、ここに標識付のタイルを施工することになるため、手数が非常にかかると共に、工期、費用もかかる。
一方、シートの場合には、床面に貼り付けて施工する方式のため、後付け自体は手軽に出来るが、素材に樹脂が用いられていることから、火災時にはこの熱で溶損してしまい、役立たないことがあると共に、通路の場合には摩耗が進行して耐久性に問題がある。
また、従来の上記タイルやシートにおいて、夜光塗料等を用いたものもあるが、何れも暗闇や煙の中では見にくい。
また、避難者の中には、目の不自由な人がいる場合もあり、この人達には、従来の緊急誘導標識は役に立たず、安全対策としては不十分である。
【０００４】
現在公知の誘導標識の中に、蓄光性塗料を用いた次のものが公知である。
例えば、特開平８-３１２１０８号公報には、暗闇でも視認することができる避難誘導
を標示した床材として、「タイルカーペットに窓穴を開口形成し、該窓穴内に蓄光性塗料で誘導標示を表してなる誘導標示プレートを収納設置した」が提案されている。
しかし、この公知例の場合は、材質に樹脂が用いられていることから、火災時の熱で溶解してしまうことがあり、火災時の避難には役立たない心配がある。また、床面に取り付けた場合に、段差が大きくなると共に、タイルやコンクリート等のような床面に手軽に取り付けることはできない。特に、地下鉄のホームや階段、通路等に後付けで用いることはできない。
【０００５】
また、特開２００４−１６３６２１号公報には、停電時にも電源を用いることなく避難路の誘導サイン等を発光表示させることができ、また、正常時と停電時とで表示を変化させることができる表示用シートとフロアマットとして、「基材シート２の表面に蓄光性塗料又は蓄光フィルムで形成された発光表示面３が形成され、基材シート２の上に積層された透光性シート４の表面に通常表示面５が形成されている。例えば、発光表示面３は避難用の誘導サインとなっており、通常表示面５は路線の乗り換えのための案内や広告などとなっている。通常の明るい状態では、表示用シート１は、乗り換え案内や広告などの通常表示面５が表示されているが、停電になって周囲が暗くなると、発光表示面３に表示が切り替わり、地上出口などへの避難路が表示されるように構成したもの」が開示されている。
しかし、この公知例の場合も、上記した特開平８−３１２１０８号と同様な欠点がある。
【特許文献１】特開平８-３１２１０８号公報
【特許文献２】特開２００４−１６３６２１号公報
【発明の開示】
【発明が解決しようとする課題】
【０００６】
本発明は斯る点に鑑みて提供されるものであって、その目的は、既施工の床の表面にそのまま後付けで施工することができると共に、取り付けた後でも段差が殆んどなく、目の不自由な人にも避難方向が判り、施工強度が大きい蓄光性塗料を用いた避難誘導標示装置を提供することである。
【課題を解決するための手段】
【０００７】
上記目的を達成するため、請求項１に記載の発明においては、避難誘導標示装置において、上面に蓄光性塗料層を形成すると共に、この蓄光性塗料層の一部に画像を標記して成る表示プレートと、
額縁枠内に前記表示プレートの蓄光性塗料層部分を露出させるようにして表示プレートを被取付面に取り付けるための取付プレートと、
前記取付プレートの額縁枠及び表示プレートの周囲部分に穿設されたボルト孔を経由して被取付面に表示プレート及び取付プレートを固定するためのアンカーボルトと、
から成ることを特徴とするものである。
【０００８】
更に、請求項２に記載の発明においては、請求項１に記載の避難誘導標示装置において、前記表示プレートの蓄光性塗料層の表面であって、画像を形成した表面には、更に透明な被覆層を形成して成ることを特徴とするものである。
【０００９】
更に、請求項３に記載の発明においては、請求項１又は２に記載の避難誘導標示装置において、前記表示プレートの下面にクッションマットを取り付け、このクッションマットを表示プレートと被取付面との間に介在させて表示プレートと取付プレートを被取付面に固定するように構成して成ることを特徴とするものである。
【００１０】
更に、請求項４に記載の発明においては、請求項１に記載の避難誘導標示装置において、前記表示プレートと取付プレートを接着剤を用いてあらかじめ一体化させておくことを特徴とするものである。
【００１１】
更に、請求項５に記載の発明においては、請求項３に記載の避難誘導標示装置において、前記クッションマットを表示プレートの下面に接着剤を用いて一体化させておくことを特徴とするものである。
【００１２】
更に、請求項６に記載の発明においては、請求項３又は５に記載の避難誘導標示装置において、前記クッションマットの下面に離型紙付の感圧接着剤層を形成しておくことを特徴とするものである。
【００１３】
更に、請求項７に記載の発明においては、請求項１〜６に記載の何れか１項に記載の避難誘導標示装置において、前記取付プレートの輪郭の一辺を避難方向に向けて山形に形成したことを特徴とするものである。
【００１４】
更に、請求項８に記載の発明においては、請求項１〜７に記載の何れか１項に記載の避難誘導標示装置において、前記取付プレート又は蓄光性塗料の上面には、避難方向を示す点字が形成されていて、目の不自由な人は、この点字を頼って安全に避難できるように構成したことを特徴とするものである。
【００１５】
［作用］
上記構成の避難誘導標示装置は、取付プレート内に表示プレートを組合せ、これを所定の位置にアンカーボルトを用いて固定する。取り付け場所は、例えば地下鉄のホーム、階段、オフィスビル内、廊下、避難路、あるいは壁面、天井面等自由である。本標示装置は、床面等に手軽に後付けが可能であり、暗闇では蓄光性塗料の作用で標示装置の位置と避難方向が良く判る。
【発明の効果】
【００１６】
１．請求項１に記載の発明によると、取付プレートの額縁枠内に表示プレートを組み込    み、アンカーボルトで床面に固定する方式のため、取付プレートの表面に落し込みで    蓄光性塗料層付の表示プレートを取り付ける例に比較して、踏みつけや衝撃に強く、    堅牢で、耐久性が格段に向上する。
２．請求項１に記載の発明によると、取付プレートを床に取り付けるときに、表示プレ    ート側にもボルト孔を設け、取付プレートと一緒にアンカーボルトで固定できるため    、表示プレートがガタついたりする心配がない。
３．請求項１に記載の発明によると、簡単に床面に固定できるため、必要な場合の適応    力があると共に、表示プレートの種類が変ったり、蓄光性塗料層が損傷、摩耗したり    した場合には、アンカーボルトを外して取付プレートを剥がし、表示プレートを別物    又は新規なものに交換することができる。
４．請求項３に記載の発明によると、クッションマットの作用で表示プレートにかかる    衝撃が軽減されて長寿命化を図ることができると共に、床面に微小な凹凸や変形があ    った場合でも、良く密着する。
５．請求項４、５に記載の発明によると、表示プレートと取付プレート及びクッション    マットをあらかじめ一体化しておくことができるので、輸送は勿論、現場での施工性    が向上する。
６．請求項６に記載の発明によると、現場で離型紙を剥がすだけで簡単に表示プレート    又はクッションマットを床面に固定できるため、現場に接着剤を用意したり、現場で    接着剤をいちいち塗布したりする手間が省ける。
７．請求項７に記載の発明によると、取付プレートの形状そのものが避難方向を示すこ    とになるため、避難誘導標識としての機能性が向上する。
８．請求項８に記載の発明によると、目の不自由な人が例えば床を這って避難する場合    に、点字に触れることで避難方向が判るため、本避難誘導標示装置は、目の不自由な    人にも有効である。
【実施例１】
【００１７】
図１〜図３に基づいて、本発明に係る避難誘導標示装置（以下「標示装置」という。）の実施例を詳細に説明する。
図１は標示装置１を非常口１００に向けて、一定の間隔で取り付けた状態を示す説明図、図２は標示装置１の分解斜視図、図３はＡ−Ａ´線拡大断面図である、
上記図１〜図３において、２は標示装置１の表示プレートであって、この表示プレート２は、四角形の一辺を山形に形成したステンレス板３の表面に、蓄光性塗料層４を焼成し、この表面に避難方向を示す矢印及び非常口の文字から成る画像５を標記し、前記蓄光性塗料層４の周囲には、同一幅の枠面６が形成してあり、更にこの枠面６には、ボルト孔７が６ヶ所形成された構成である。
【００１８】
８は四角形の額縁枠９の一辺を山形に形成すると共にこの額縁枠９を少し盛り上げ、この額縁枠９で囲まれた内側に前記した蓄光性塗料層４を露出させるための開口部１０を形成し、額縁枠９にはボルト孔（皿孔）１１を形成した構成のステンレス板製の取付プレートであって、この取付プレート８の額縁枠９の前方（前記矢印５が示す方向）の部分は、矢印５の方向に合わせて山形に縁取り１２されていて、取付プレート８の形状からも、避難方向が判るように工夫されている。
【００１９】
１３はアンカーボルトであって、図２では１本のみが図示されているが、前記したボルト孔１１の数だけ６本用意されている。
なお、表示プレート２側のボルト孔７及び取付プレート８側のボルト孔１１及びアンカーボルト１３の数は、本実施例１では６個（６本）となっているが、表示プレート２及び取付プレート８の大きさにより、必要に応じて増減することが可能である。
【００２０】
図３は床面１０１に標示装置１を固定した状態を示すもので、表示プレート２は、取付プレート８内において、額縁枠９で周囲の枠面６が押えられていて、蓄光性塗料層４は額縁枠９の開口部１０から取付プレート８の表面に露出し、床面１０１にアンカーボルト１３でしっかりと固定されている。
なお、上記実施例１の場合、表示プレート２と取付プレート８はばらした状態のものを現場で組み合わせ、図３のように施工しているが、表示プレート２の枠面６と取付プレート８の額縁枠９の内面間に接着剤を塗布し、この面で表示プレート２と取付プレート８を一体に接着しておくと、輸送や現場での施工がしやすくなるので、このようにあらかじめ一体化しておくように構成しても良い（請求項４に対応）。
なお、表示プレート２の蓄光性塗料層４の表面には、画像５が例えばスクリーン印刷法により形成され、更にこの表面には、保護を目的として、ガラスフリット層が形成されているが、図示は省略している（請求項２に対応）。
【実施例２】
【００２１】
本実施例２は、床面１０１に標示装置１を固定するときに、床面１０１の凹凸や、変形を吸収して密着性を良くすることと、上方から受ける荷重や衝撃を吸収して、ガタついたり、蓄光性塗料層４や取付プレート８が損傷したりしないように、表示プレート２の下面と床面１０１間に図４に示すボルト孔１５を６ヶ所に形成したクッションマット１４を図５に示すように介在させた例であって、請求項３に記載の発明に対応している。
【００２２】
本実施例２のクッションマット１４は、図４に示すように、ゴム板を表示プレート２と同一大きさに加工し、表示プレート２と同じ位置にボルト孔１５を形成した形状である。なお、材質はゴムに限らないが、耐久性のある素材のものとして、不織布等を用いても良い。
【実施例３】
【００２３】
本実施例３は、実施例１においては表示プレート２の裏面であって床面１０１と密着する面、及び実施例２においてはクッションマット１４の裏面に離型紙１７付の感圧接着剤層１６をあらかじめ形成しておき、現場で、図６に示すように離型紙１７を剥がしとり、接着剤層１６で床面１０１に貼り付けて密着性を向上させる例であって、請求項６に記載の発明に対応している。
また、このように接着剤層１６を形成しておくことにより、標示装置１を取り付ける際に、あらかじめ位置方向を定めておき、その上でアンカーボルト１３を締め込むようにすると、標示装置１の向きに狂いが生じたりせず、またアンカーボルト１３の締め込み時に標示装置１が動いたりせず、作業がやりやすい。
【００２４】
また、例えば標示装置１を壁や天井に取り付ける際には、仮止めをこの接着剤層１６で行うことができる。
また、標示装置１をアンカーボルト１３で固定する恒久的な施工ではなく、臨時の避難口を設けたりした際には、アンカーボルト１３を用いないで標示装置１を任意の場所に取り付けておき、不要となった際には剥がして取り去ることも可能である。勿論、このような用途の際に用いられる標示装置１は、表示プレート２と取付プレート８及びクッションマット１４がある場合には、このクッションマット１４も一体的に接着しておくことが前提である。
【実施例４】
【００２５】
本実施例４は、目の不自由な人が安全に避難できるように、取付プレート８に避難方向を示す点字１８を図２に示すように表示する例であって、請求項８に記載の発明に対応している。但し、この点字１８は蓄光性塗料層４の表面に形成しても良い。
なお、蓄光性塗料層４の表面に形成する画像５は、スクリーン印刷又はスプレー等を用いて表示することができる。本発明で用いた蓄光性塗料層４の蓄光材には根本特殊化学株式会社販売の商品名「ルミノーバ」を用い、焼成法で形成した。「ルミノーバ」の特性は表１のとおりである。
【表１】
2006314693.tif 000003
【図面の簡単な説明】
【００２６】
【図１】本発明に係る標示装置を床面に取り付けた状態を示す説明図
【図２】表示プレートと取付プレート及びアンカーボルトの説明図
【図３】Ａ−Ａ´線拡大断面図
【図４】クッションマットの説明図
【図５】クッションマットを用いて施工した例の説明図
【図６】感圧接着剤層を表示プレート又はクッションマットの裏面に形成し、離型紙を剥がしている状態の説明図
【符号の説明】
【００２７】
１  標示装置
２  表示プレート
３  ステンレス板
４  蓄光性塗料層
５  画像
６  枠面
７  ボルト孔
８  取付プレート
９  額縁枠
１０  露出口
１１  ボルト孔
１２  縁取り
１３  アンカーボルト
１４  クッションマット
１５  ボルト孔
１６  接着剤層
１７  離型紙
１８  点字
【図１】
2006314693.tif 000004
【図２】
2006314693.tif 000005
【図３】
2006314693.tif 000006
【図４】
2006314693.tif 000007
【図５】
2006314693.tif 000008
【図６】
2006314693.tif 000009